(57)【要約】      （修正有）【課題】光源の交換などのメンテナンスの回数を減らすことができる発光傘を提供する。【解決手段】本発光傘１は、石突部分２に配置された光源３と、該光源３に電源を供給するバッテリ４と、一端面５ａが光源３に対向すると共に他端面５ｂが露先６に配置されるように、複数の親骨７にそれぞれ沿って延設された複数の光ファイバー５と、光源３をオン／オフするスイッチ８と、により構成されている。複数の箇所（複数の露先部分）を発光させるのに光源は１つだけで足りるので、光源を複数配置する場合に比べて光源の故障の回数が減ることとなり、その分、光源の交換などのメンテナンスの回数が減る。【選択図】図１
0003156183.tif 000002
【実用新案登録請求の範囲】
【請求項１】
石突部分に配置された光源と、
該光源に電源を供給するバッテリと、
一端面が前記光源に対向すると共に他端面が露先に配置されるように、複数の親骨にそれぞれ沿って延設された複数の光ファイバーと、
前記光源をオン／オフするスイッチと、
を備えた発光傘。
【請求項２】
長さの違う複数本の光ファイバーが１つの親骨に沿って配置された、
ことを特徴とする請求項１に記載の発光傘。
【考案の詳細な説明】
【技術分野】
【０００１】
本考案は、光源を備えた発光傘に関する。
【背景技術】
【０００２】
雨が降っている夜間は、自動車のドライバーは歩行者を視認しづらいという問題があり、そのため、傘自体に光源を設けて発光させるようにした発光傘について種々の提案がなされている（例えば、特許文献１参照）。
【０００３】
図３は、従来の発光傘の構成の一例を示す模式図である。同図に示す傘では、石突部分１００や露先部分１０１にそれぞれ光源が配置されていて、各光源が点灯されるように構成されていた。
【先行技術文献】
【特許文献】
【０００４】
【特許文献１】特開２００２−１７７０２８号公報
【考案の概要】
【考案が解決しようとする課題】
【０００５】
しかしながら、図３に示す構成のものでは、光源が多数配置されているので、光源の個数の分だけ故障の回数が増えてしまってメンテナンスが大変になったり、防水対策を施すべき箇所が増えてしまったりする等の問題があった。
【０００６】
本考案は、上述のような問題を低減することができる発光傘を提供することを目的とするものである。
【課題を解決するための手段】
【０００７】
請求項１に係る考案は、図１(a) に符号１で例示するものであって、石突部分（２）に配置された光源（同図(b) の符号３参照）と、
該光源（３）に電源を供給するバッテリ（４）と、
一端面（５ａ）が前記光源（３）に対向すると共に他端面（５ｂ）が露先（６）に配置されるように、複数の親骨（７）にそれぞれ沿って延設された複数の光ファイバー（５）と、
前記光源（３）をオン／オフするスイッチ（８）と、を備えた発光傘についてのものである。
【０００８】
請求項２に係る考案は、請求項１に係る考案において、長さの違う複数本の光ファイバー（図２の符号５，１５，２５，３５参照）が１つの親骨（７）に沿って配置されたことを特徴とする。
【０００９】
なお、括弧内の番号などは、図面における対応する要素を示す便宜的なものであり、従って、本記述は図面上の記載に限定拘束されるものではない。
【考案の効果】
【００１０】
請求項１に係る考案によれば、複数の箇所（複数の露先部分）を発光させるのに光源は１つだけで足りるので、光源を複数配置する場合に比べて光源の故障の回数が減ることとなり、その分、光源の交換などのメンテナンスの回数が減ることとなる。また、光源の個数を１つだけにできるので、複数個の光源を配置しなければならない場合に比べて防水対策を施すべき箇所を低減することができる。
【００１１】
請求項２に係る考案によれば、発光箇所を増やすことができる。
【図面の簡単な説明】
【００１２】
【図１】図１(a) は、本考案に係る発光傘の全体構成の一例を示す側面図であり、同図(b)は、石突部分の詳細構成を示す拡大断面図である。
【図２】図２は、本考案に係る発光傘の全体構成の他の例を示す側面図である。
【図３】図３は、従来の発光傘の構成の一例を示す模式図である。
【考案を実施するための形態】
【００１３】
以下、図１及び図２に沿って、本考案の実施の形態について説明する。
【００１４】
本考案に係る発光傘は、図１(a)に符号１で例示するものであって、
・  石突部分２に配置された光源（同図(b) の符号３参照）と、
・  該光源３に電源を供給するバッテリ４と、
・  一端面５ａが前記光源３に対向すると共に他端面５ｂが露先６に配置されるように、複数の親骨７にそれぞれ沿って延設された複数の光ファイバー５と、
・  前記光源３をオン／オフするスイッチ８と、
を備えている。ここで、光源３としては発光ダイオードを挙げることができる。
【００１５】
本考案によれば、前記スイッチ８を操作して前記光源３を点灯させると、該光源３からの光は、一端面５ａから各光ファイバー５に入射されて他端面５ｂから出射されることとなる。本考案によれば、複数の箇所（複数の露先部分）を発光させるのに光源３は１つだけで足りるので、図３に示すように光源を複数配置する場合に比べて光源の故障の回数が減ることとなり、その分、光源の交換などのメンテナンスの回数が減ることとなる。また、光源の個数を１つだけにできるので、複数個の光源を配置しなければならない場合に比べて防水対策を施すべき箇所を低減することができる。
【００１６】
なお、図２に符号５，１５，２５，３５で示すように、長さの違う複数本の光ファイバーを１つの親骨７に沿って配置しておいて、発光箇所を増やすようにしても良い。
【００１７】
また、各光ファイバー５の一端面５ａを、図１(b) に詳示するように、前記光源３から離間した位置（つまり、各光ファイバー５の一端面５ａが一つの仮想面Ａに一致するような位置）にて並べて配置しておくと良い。そのようにした場合には、各光ファイバー５が光源３の熱の影響（例えば、熱変形）を受けることも無く、また、各光ファイバー５に入射される光の量はほぼ均等となり、各露先部分の発光量をほぼ均等にすることができ、安全上及び装飾効果の面からも好ましい。
【００１８】
さらに、図１(b)
に符号９で例示するような筒状部材を設けておいて、
・  一端側（一端開口）９ａには前記光源３を挿入し、
・  他端側（他端開口）９ｂには前記複数の光ファイバー５の束を挿入する、
ようにしても良い。そのようにした場合には、各光ファイバー５と前記光源３の両方の位置決めを確実に行うことができる。
【００１９】
しかしながら、本考案の範囲が図１及び図２により限定されるものでは無い。例えば、光ファイバー５が全ての親骨７に配置されているものに限定する趣旨ではなく、光ファイバー５の本数が親骨７の本数より少ないものを本考案の範囲から除外するものでは無い。また、バッテリ４を配置する箇所としては手元１０が最適ではあるが、手元以外の部分にバッテリ４を配置したものを本考案の範囲から除外するものではない。さらに、スイッチ８としては押しボタンスイッチが好ましいが、押しボタンスイッチ以外のスイッチを使用したものを本考案の範囲から除外するものでは無い。またさらに、該スイッチ８を配置する箇所としては手元１０が最適ではあるが、手元以外の部分にスイッチ８を配置したものを本考案の範囲から除外するものでは無い。また、発光ダイオード以外の光源を用いたものを本考案の範囲から除外するものでも無い。
【符号の説明】
【００２０】
１          発光傘
２          石突部分
３          光源
４          バッテリ
５          光ファイバー
５ａ        一端面
５ｂ        他端面
６          露先
７          親骨
８          スイッチ
１５          光ファイバー
２５          光ファイバー
３５          光ファイバー
【図１】
0003156183.tif 000003
【図２】
0003156183.tif 000004
【図３】
0003156183.tif 000005